(57)【要約】【課題】  揺れや衝撃が加わった場合にも円筒状や円柱状の部材が跳ね上がることがなく、円筒状や円柱状の部材を円滑に着脱することが可能な部材受け具、運搬機構を提供する。【解決手段】  円筒状または円柱状の部材を保持する部材受け具である。受け具本体は、円筒状または円柱状の部材が挿入される凹部を有し、当該凹部の底部は前記円筒状または円柱状の部材の下面を支持する略半円形状の受け部とされている。凹部の入り口側には、弾性力に抗して前記部材を挿入することにより当該部材を押圧支持する一対の支持部が互いに対向して設けられている。支持部としては、例えば互いに対向する一対の円弧状の支持片が、それぞれ内方に向かって凸形状となるように受け具本体に一体に形成されている。あるいは、支持部として、受け具本体に挿脱自在に設けられるシャッター板が対向して設置されている。【選択図】  図２
2019137460.tif 000002
【特許請求の範囲】
【請求項１】
円筒状または円柱状の部材を保持する部材受け具であり、
受け具本体は、前記円筒状または円柱状の部材が挿入される凹部を有し、当該凹部の底部は前記円筒状または円柱状の部材の下面を支持する略半円形状の受け部とされており、
前記凹部の入り口側には、弾性力に抗して前記部材を挿入することにより当該部材を押圧支持する一対の支持部が互いに対向して設けられていることを特徴とする部材受け具。
【請求項２】
前記支持部として、互いに対向する一対の円弧状の支持片が、それぞれ内方に向かって凸形状となるように前記受け具本体に一体に形成されていることを特徴とする請求項１記載の部材受け具。
【請求項３】
前記支持部として、受け具本体に挿脱自在に設けられるシャッター板が対向して設置され、
前記シャッター板は、前記凹部の入り口に向かって傾斜する第１の傾斜面と、これとは反対側に向かって傾斜する第２の傾斜面とを有し、前記第１の傾斜面の前記部材の挿入方向に対する傾斜角度は、前記第２の傾斜面の前記部材の挿入方向に対する傾斜角度よりも小であることを特徴とする部材受け具。
【請求項４】
前記シャッター板はコイルバネで支持されており、当該コイルバネの弾性力により受け具本体に対して挿脱されることを特徴とする請求項３記載の部材受け具。
【請求項５】
プラスチック製であることを特徴とする請求項１から４のいずれか１項記載の部材受け具。
【請求項６】
前記受け具本体は、所定の厚さの板状の部材であることを特徴とする請求項１から５のいずれか１項記載の部材受け具。
【請求項７】
本体と円筒状または円柱状の部材とを有してなる対象物品が載置される運搬機構であって、
前記対象物品の本体を載置する載置台と、
前記円筒状または円柱状の部材を保持する請求項１から６の何れか１項記載の部材受け具とを備えていることを特徴とする運搬機構。
【発明の詳細な説明】
【技術分野】
【０００１】
本発明は、円筒状や円柱状の部材を支持する部材受け具に関するものであり、特に、前記部材の跳ね上げを確実に防止し得る部材受け具に関する。さらには、係る部材受け具を備えた運搬機構に関する。
【背景技術】
【０００２】
例えば円筒状や円柱状の部材を有する対象物品を車両等で運搬する際には、転がりを防ぐ必要があり、これに適した受け台が種々提案されている（例えば特許文献１〜特許文献３等を参照）。
【０００３】
例えば特許文献１に記載される円筒形輸送物の支持装置は、輸送用架台上に任意の間隔をもって左右方向に移動可能に支柱を固定し、この支柱に輸送物を支持する支持台を回動可能に取付けてなるものである。特許文献１記載の支持装置は、円筒形の輸送物の大きさに応じて左右の支柱を固定し、この支柱に自動可能に取付けた支持台で輸送物を支持するようにすることにより、輸送物の大きさが変っても適用することができるようにした点が特徴である。
【０００４】
特許文献２には、比較的高重量で大径の円柱体等を簡便・安全にハンドリングすることができる載置台が開示されており、硬質の棒体または管体を同一寸法・形状のＭ字状に折曲し、上端部の断面Ｖ字状凹部における対向傾斜面の交差角度を互いに等しく形成した載置部材の複数を基台上に、互いに適宜間隔をあけて、かつ互いに真正面に対向して突設した円柱体等の載置台が開示されている。
【０００５】
特許文献３には、、主平板の裏面に格子形リブを一体成形して備え、主平板の外縁部から裏面側に突出した側壁とＵ字溝の内壁とによって格子形リブ全体を囲んだ構造のロール保護プレートが開示されている。ロールの両端面から突出する芯材の両端部を、ロール保護プレートのＵ字溝に挿入することで、ロールを保持（保護）するような構成とされている。
【先行技術文献】
【特許文献】
【０００６】
【特許文献１】実開昭５１−５９０４７号公報
【特許文献２】実開平６−６７３２６号公報
【特許文献３】特開２０１０−５８８２５号公報
【発明の概要】
【発明が解決しようとする課題】
【０００７】
ところで、前述の各特許文献に開示されるような受け台は、円筒状や円柱状の部材が転がり落ちることがないような設計となっているが、棒状の部材の跳ね上げについては何ら考慮されていない。車両等で運搬する物品が、円筒状あるいは円柱状の棒状部分を有していた場合、本体を載置台に載せ、棒状部分を受け台の凹部に挿入しているが、運搬の際に揺れや段差での衝撃が加わると、前記棒状部分が跳ね上がって、受け台から脱落してしまうおそれがある。鉄道やトラックでの運搬では、前記揺れや衝撃を皆無にすることは難しく、物品の脱落が大きな問題となる。
【０００８】
本発明は、このような従来の実情に鑑みて提案されたものであり、揺れや衝撃が加わった場合にも円筒状や円柱状の部材が跳ね上がることがなく、しかも、円筒状や円柱状の部材を円滑に着脱することが可能な部材受け具を提供することを目的とする。さらには、対象物品が脱落することがなく、効率の良い運搬が可能な運搬機構を提供することを目的とする。
【課題を解決するための手段】
【０００９】
前述の目的を達成するために、本発明の部材受け具は、円筒状または円柱状の部材を保持する部材受け具であり、受け具本体は、前記円筒状または円柱状の部材が挿入される凹部を有し、当該凹部の底部は前記円筒状または円柱状の部材の下面を支持する略半円形状の受け部とされており、前記凹部の入り口側には、弾性力に抗して前記部材を挿入することにより当該部材を押圧支持する一対の支持部が互いに対向して設けられていることを特徴とする。
【００１０】
支持部は、例えば、互いに対向する一対の円弧状の支持片が、それぞれ内方に向かって凸形状となるように前記受け具本体に一体に形成されていることを特徴とする。あるいは、支持部として、受け具本体に挿脱自在に設けられるシャッター板が対向して設置され、前記シャッター板は、前記凹部の入り口に向かって傾斜する第１の傾斜面と、これとは反対側に向かって傾斜する第２の傾斜面とを有し、前記第１の傾斜面の前記部材の挿入方向に対する傾斜角度は、前記第２の傾斜面の前記部材の挿入方向に対する傾斜角度よりも小であることを特徴とする。
【００１１】
また、本発明の運搬機構は、本体と円筒状または円柱状の部材とを有してなる対象物品が載置される運搬機構であって、前記対象物品の本体を載置する載置台と、前記円筒状または円柱状の部材を保持する前記部材受け具とを備えていることを特徴とする。
【００１２】
本発明の部材受け具では、円筒状または円柱状の部材を挿入する際には、支持部（前記支持片やシャッター板）が速やかに後退し、円筒状または円柱状の部材が受け部に載置される。この状態では、円筒状または円柱状の部材が支持部（前記支持片やシャッター板）で支持された状態となる。支持部（前記支持片やシャッター板）は、挿入時に比べて下方から大きな力を加えないと後退しないので、揺れや衝撃等が加わっても、円筒状または円柱状の部材が跳ね上がることはない。
【発明の効果】
【００１３】
本発明によれば、揺れや衝撃が加わった場合にも円筒状や円柱状の部材が跳ね上がることがなく、円筒状や円柱状の部材を円滑に着脱することが可能な部材受け具を提供することが可能であり、対象物品が脱落することがなく、効率の良い運搬が可能な運搬機構を提供することが可能である。
【図面の簡単な説明】
【００１４】
【図１】円筒状または円柱状の部材を有する対象物品の運搬機構への載置手順を示す模式的な図であり、（ａ）は載置前の状態、（ｂ）は本体の載置状態、（ｃ）は円筒状または円柱状の部材の装着状態をそれぞれ示す。
【図２】部材受け具の第１の実施形態の概略構成を示す正面図である。
【図３】第１の実施形態の部材受け具に円柱状の部材を装着した状態を示す概略斜視図である。
【図４】部材受け具の第２の実施形態の概略構成を示す正面図である。
【図５】第２の実施形態の部材受け具の概略斜視図である。
【図６】第２の実施形態の部材受け具への円筒状または円柱状の部材の装着手順を示す図であり、（ａ）は挿入開始状態、（ｂ）はシャッター板の後退状態、（ｃ）は円筒状または円柱状の部材の受け部への載置状態をそれぞれ示す。
【発明を実施するための形態】
【００１５】
以下、本発明を適用した部材受け具及び搬送機構の実施形態について、図面を参照しながら詳細に説明する。
【００１６】
（運搬機構）
先ず、本体と円筒状または円柱状の部材とを有してなる対象物品を運搬する際に用いられる運搬機構について説明する。
【００１７】
図１に示すような本体２と円筒状または円柱状の部材３とを有してなる対象物品１を鉄道や各種運搬車両（トラック等）で運搬する際には、例えば、本体を載置する載置台１０と、円筒状または円柱状の部材３を支持する部材受け具２０とからなる運搬機構を用いる。
【００１８】
すなわち、鉄道や運搬車両の運搬台に、本体を載置する載置台１０と、円筒状または円柱状の部材３を支持する部材受け具２０とを設置しておき、ここに本体２と円筒状または円柱状の部材３とを有してなる対象物品１を支持固定する。
【００１９】
対象物品１の積み込みに際しては、図１（ａ）に示すように、対象物品１の本体２と円筒状または円柱状の部材３とを両手で支え、図１（ｂ）に示すように、先ず本体２を前記載置台１０の上に載せる。次に、図１（ｃ）に示すように、円筒状または円柱状の部材３を部材受け具２０の凹部に挿入し、受け部に載せる。これにより、円筒状または円柱状の部材３は部材受け具２０に支持固定されることになる。外す時は装着時と逆工程である。
【００２０】
このような運搬機構において、部材受け具２０に円筒状または円柱状の部材３の受けとなる凹部が形成されているだけであると、運搬の際に揺れや段差での衝撃が加わった時に、前記円筒状または円柱状の部材３が跳ね上がって、対象物品１が運搬台から脱落してしまうおそれがある。本体２は、重量があるため、跳ね上がることはないが、ここを基点に部材受け具２０に載っている円筒状または円柱状の部材３が跳ね上がる。
【００２１】
そこで、本実施形態の運搬機構では、前記部材受け具２０に跳ね上げ防止機構を設け、円筒状または円柱状の部材３の跳ね上がりを防止するようにしている。以下、部材受け具２０の実施形態について説明する。
【００２２】
（部材受け具の第１の実施形態）
【００２３】
部材受け具２０は、図２に示すように、所定の厚さを有する厚板状の受け具本体２１を主体とするものであり、この受け具本体２１に凹部２２を形成することで、ここに円筒状または円柱状の部材３を挿入することが可能になっている。凹部２２の底部は、円筒状または円柱状の部材３の形状に合わせて略半円形とされている。なお、凹部２２の底部の形状は、挿入される部材の形状に応じて適宜変更可能である。
【００２４】
前記受け具本体２１は、所定の厚さを有する矩形厚板状であり、これを直立される形で運搬台に設置される。前記受け具本体２１は、例えばプラスチック製であり、表壁と裏壁とを有し、これら表壁と裏壁の間が中空とされた中空二重壁構造を有している。表壁や裏壁には、リブや孔を配列形成してもよく、これにより強度の向上や軽量化等が図られる。
【００２５】
本実施形態の部材受け具２０においては、前記受け具本体２１に設けられた凹部２２の入り口側において、受け具本体２１を延長する形で支持片２３，２４が一体に形成されており、この支持片２３，２４が下方に向けて折り返された形となっている。
【００２６】
折り返された支持片２３，２４は、いずれも円弧状の形状を呈しており、これら互いに対向する一対の円弧状の支持片２３，２４が、それぞれ内方に向かって凸形状となるように前記受け具本体２１に一体に形成されている。
【００２７】
また、各支持片２３，２４は、その基端部２３ａ，２４ａにおいて受け具本体２１と一体に結合されており、基端部２３ａ，２４ａを支点として弾性変形（後退）可能とされている。
【００２８】
ここで、前記支持片２３，２４の最も突出している部分の間隔Ｗを挿入される部材３の幅よりも若干小さく設定しておけば、支持片２３，２４間に部材３を挿入する際には、部材３を押し込むことで支持片２３，２４が図中矢印方向に弾性変位して互いに後退し、部材３は凹部２２の底部に当接するまで押し込まれる。
【００２９】
この時、各支持片２３，２４が円弧形状であるため、上方の円弧により挿入側の間隔が次第に大きくなる形となり、円筒状または円柱状の部材３の挿入が円滑に行われる。また、部材３の挿入後には、図３に示すように、各支持片２３，２４の弾性力により支持片２３，２４が部材３の外周面に当接する形になる。特に、各支持辺２３，２４の下方の円弧面２３ｂ，２４ｂが部材３の外周面に当接することになるので、部材３を支持片２３，２４によって上方から抑える形になり、跳ね上げ防止機能が確実に発揮される。
【００３０】
なお、円筒状または円柱状の部材３をある程度の力で引き上げれば、支持片２３，２４が弾性変位して後退し、いわゆるロック状態を解除して、部材受け具２０から取り外すことができる。
【００３１】
（部材受け具の第２の実施形態）
本実施形態の部材受け具２０も、図４に示すように、所定の厚さを有する厚板状の受け具本体２１を主体とするものであり、この受け具本体２１に凹部２２を形成することで、ここに円筒状または円柱状の部材３を挿入することが可能になっている。凹部２２の底部は、円筒状または円柱状の部材３の形状に合わせて略半円形とされている。なお、凹部２２の底部の形状は、挿入される部材の形状に応じて適宜変更可能である。
【００３２】
前記受け具本体２１は、図５に示すように、所定の厚さを有する矩形厚板状であり、これを直立される形で運搬台に設置される。前記受け具本体２１は、例えばプラスチック製であり、表壁と裏壁とを有し、これら表壁と裏壁の間が中空とされた中空二重壁構造を有している。表壁や裏壁には、リブや孔を配列形成してもよく、これにより強度の向上や軽量化等が図られる。
【００３３】
前記受け具本体２１に設けられた凹部２２の入り口側には、跳ね上げ防止機構としてシャッター板３３，３４が互いに対向する形で設置されている。これらシャッター板３３，３４は、前記受け具本体２１と０同様、例えばプラスチック製であり、前記受け具本体２１の表壁と裏壁の間の中空部分に挿脱可能に取り付けられている。また、その背面側には複数のコイルバネ４０が設けられ、シャッター板３３，３４を閉じる方向（シャッター板３３，３４間の間隔が狭くなる方向）に弾性的に付勢されている。
【００３４】
なお、本実施形態の部材受け具２０では、コイルバネ４０をシャッター板３３，３４のそれぞれに２つずつ（５ｋｇｆ×２）設けているが、これに限らず、コイルバネ４０を３以上設けることも可能である。また、受け具本体２１に窓部５０が形成され、前記コイルバネ４０が外部から視認可能とされているが、これに限らず、例えば窓部５０は設けなくてもよい。
【００３５】
前記シャッター板３３，３４は、互いに受け具本体２１に対して挿脱することで、円筒状または円柱状の部材３が挿入される凹部２２を開閉操作する機能を有するが、それぞれの対向面は、傾斜面とされており、跳ね上げ防止機能を確実なものとしている。
【００３６】
具体的には、各シャッター板３３，３４の凹部２２の入り口側は、入り口側に向かって傾斜する第１の傾斜面３３ａ，３４ａとされ、これとは反対側は、凹部２２の底部に向かって傾斜する第２の傾斜面３３ｂ，３４ｂとされている。したがって、前記シャッター板３３，３４の互いに対向する部分は、略三角形状を呈している。
【００３７】
ここで、前記第１の傾斜面３３ａ，３４ａの円筒状または円柱状の部材３の挿入方向に対する傾斜角度をα、前記第２の傾斜面３３ｂ，３４ｂの円筒状または円柱状の部材３の挿入方向に対する傾斜角度をβとすると、β＞αである。すなわち、第１の傾斜面３３ａ，３４ａの方がなだらかであり、第２の傾斜面３３ｂ，３４ｂの方が急峻である。
【００３８】
第１の傾斜面３３ａ，３４ａや第２の傾斜面３３ｂ，３４ｂの傾斜角度を前記のような設定とすることにより、円筒状または円柱状の部材３の挿入が円滑に行われるとともに、跳ね上げ防止機能が確実に発揮される。
【００３９】
また、前記第１の傾斜面３３ａ，３４ａの円筒状または円柱状の部材３の挿入方向に対する傾斜角度をα、前記第２の傾斜面３３ｂ，３４ｂの円筒状または円柱状の部材３の挿入方向に対する傾斜角度をβの最適範囲としては、１０°≦α≦２５°、３０°≦β≦５０°である。
【００４０】
角度αが２５°を越えると、円筒状または円柱状の部材３を挿入する際の抵抗が強くなり、例えば自重で挿入できなくなるおそれがある。その結果、作業者の工数がアップする等、負担が大きい。逆に、角度αが１０°未満であると、シャッター板３３，３４の上辺３３ｃ，３４ｃが受け具本体２１の端部２１ａから飛び出してしまい、円筒状または円柱状の部材３を挿入する際にこの部分が干渉して、円滑な挿入が難しくなるおそれがある。このような干渉が起こらないようにするために、前記シャッター板３３，３４の上辺３３ｃ，３４ｃが飛び出さないようにしようとすると、ラップ量を確保することができなくなってしまう。ラップ量Ｌは、製品サイズ（受け具本体２１のサイズ）やコイルバネ４０によるストローク量によって決まり、例えば角度αを小さくしながらラップ量Ｌを確保しようとすると、前記干渉を回避するためには製品サイズを大きくせざるを得なくなる。
【００４１】
一方、角度βは、５０°を越えると円筒状または円柱状の部材３を取り外す際の抵抗が強くなり、例えばハンドワークでは取り外せなくなるおそれえがある。逆に、角度βが３０°未満であると、円筒状または円柱状の部材３の跳ね上がりを抑制する力が減少し、跳ね上がりを防止できなくなるおそれがあり、また、角度αを１０°未満とした場合と同様の不都合が生ずるおそれがある。
【００４２】
図６は、部材受け具２０への円筒状または円柱状の部材３の装着手順を示す図である。部材受け具２０の凹部２２に円筒状または円柱状の部材３を挿入し、載置するには、図６（ａ）に示すように、前記凹部２２の入り口側から円筒状または円柱状の部材３を挿入する。すると、円筒状または円柱状の部材３は、シャッター板３３，３４の入り口側に設けられた第１の傾斜面３３ａ，３４ａと当接する。
【００４３】
このように円筒状または円柱状の部材３がシャッター板３３，３４の入り口側に設けられた第１の傾斜面３３ａ，３４ａと当接した時には、第１の傾斜面３３ａ，３４ａの円筒状または円柱状の部材３の挿入方向に対する傾斜角度αが小さいことから、横方向に加わる力のベクトルが大きくなり、シャッター板３３，３４は、コイルバネ４０の弾性力に抗して速やかに後退する。したがって、円筒状または円柱状の部材３は、図６（ｂ）に示すように、その自重等により速やかに凹部２２に挿入される。
【００４４】
図６（ｃ）は、円筒状または円柱状の部材３が凹部２２の底部（受け部）に載置された状態を示すものである。この状態では、円筒状または円柱状の部材３の上面は、シャッター板３３，３４の第２の傾斜面３３ｂ，３４ｂで抑えられた形になる。第２の傾斜面３３ｂ，３４ｂの円筒状または円柱状の部材３の挿入方向に対する傾斜角度βが大きく、横方向に加わる力のベクトルが小さいことから、円筒状または円柱状の部材３の跳ね上がりに対して、シャッター板３３，３４が簡単に後退することはない。したがって、シャッター板３３，３４は、円筒状または円柱状の部材３の跳ね上げ防止部材として有効に機能する。
【００４５】
なお、円筒状または円柱状の部材３をある程度の力で引き上げれば、シャッター板３３，３４が後退し、いわゆるロック状態を解除して、部材受け具２０から取り外すことができる。
【００４６】
前述の構成を有する部材受け具、運搬機構では、円筒状または円柱状の部材３の上面がシャッター板３３，３４の第２の傾斜面３３ｂ，３４ｂで抑えられ、揺れや衝撃が加わった場合にも円筒状や円柱状の部材３が跳ね上がることがない。また、挿入に際しては、シャッター板３３，３４の第１の傾斜面３３ａ，３４ａの作用により、円筒状や円柱状の部材を円滑に着脱することが可能である。
【００４７】
以上、本発明を適用した実施形態についてを説明してきたが、本発明が前述の実施形態に限られるものでないことは言うまでもなく、本発明の要旨を逸脱しない範囲において、種々の変更を加えることが可能である。
【００４８】
例えば、円筒状または円柱状の部材３の断面形状は真円形に限らず、楕円形や多角形等も含むものとする。
【符号の説明】
【００４９】
１  対象物品
２  本体
３  円筒状または円柱状の部材
１０  載置台
２０  部材受け具
２１  受け具本体
２２  凹部
２３，２４  支持片
２３ａ，２４ａ  基端部
２３ｂ，２４ｂ  円弧面
３３，３４  シャッター板
３３ａ，３４ａ  第１の傾斜面
３３ｂ，３４ｂ  第２の傾斜面
３３ｃ，３４ｃ  上辺
４０  コイルバネ
５０  窓部
Ｌ  ラップ量
【図１】
2019137460.tif 000003
【図２】
2019137460.tif 000004
【図３】
2019137460.tif 000005
【図４】
2019137460.tif 000006
【図５】
2019137460.tif 000007
【図６】
2019137460.tif 000008